(57)【特許請求の範囲】
【請求項１】
無線通信システムにおける受信器によるチャンネル推定方法であって、
隣接した第１及び第２のリソース割り当てブロックに含まれる各パイロットトーンに対するチャンネル推定値を計算するステップと、
前記第２のリソース割り当てブロックとのサブキャリア距離が所定値以下である第１のパイロットトーンに対するチャンネル推定値を検出するステップと、
前記第１のリソース割り当てブロックとのサブキャリア距離が所定値以下である第２のパイロットトーンに対するチャンネル推定値を検出するステップと、
チャンネル品質情報及び前記受信器の速度に基づいて、前記第１及び第２のパイロットトーンの各々に対して検出したチャンネル推定値をアップデートするステップと、
前記アップデートされた前期第１のパイロットトーンに対して検出したチャンネル推定値と前期第２のパイロットトーンに対して検出したチャンネル推定値の各々に対応するチャンネル推定値を用いてチャンネル推定を遂行するステップと、を有する
ことを特徴とするチャンネル推定方法。
【請求項２】
前記第１及び第２のリソース割り当てブロックは、同一のサブバンドに含まれ、同一のプリコーディング方式が使用され、
前記第１及び第２のリソース割り当てブロックは、各々物理的リソースユニット（ＰＲＵ）を含むことを特徴とする請求項１に記載のチャンネル推定方法。
【請求項３】
前記第１のパイロットトーンは、前記第２のリソース割り当てブロックとのサブキャリア距離が最小であるパイロットトーンを含み、前記第２のパイロットトーンは、前記第１のリソース割り当てブロックとのサブキャリア距離が最小であるパイロットトーンを含むことを特徴とする請求項１に記載のチャンネル推定方法。
【請求項４】
前記チャンネル品質情報は、キャリア対干渉雑音比（ＣＩＮＲ）情報を含む
ことを特徴とする請求項１に記載のチャンネル推定方法。
【請求項５】
前記アップデートするステップは、
下記の式（１）によって、前記第１及び第２のパイロットトーンに対するチャンネル推定値として最小二乗（ＬＳ）推定値をアップデートするステップを有することを特徴とする請求項１に記載のチャンネル推定方法。
【数１】
0006012974.tif 000008
ここで、
【数２】
0006012974.tif 000009
は第１のリソース割り当てブロックとしてｍ番目のリソース割り当てブロックに含まれた４番目のパイロットトーンのアップデートされたＬＳ推定値を表し、
【数３】
0006012974.tif 000010
はｍ番目のリソース割り当てブロックに含まれた５番目のパイロットトーンのアップデートされたＬＳ推定値を表し、
【数４】
0006012974.tif 000011
は第２のリソース割り当てブロックとしてｍ＋１番目のリソース割り当てブロックに含まれた０番目のパイロットトーンのアップデートされたＬＳ推定値を表し、
【数５】
0006012974.tif 000012
はｍ＋１番目のリソース割り当てブロックに含まれた１番目のパイロットトーンのアップデートされたＬＳ推定値を表し、Ｒdpは前記受信器の速度を用いて計算された、該当リソース割り当てブロック内のすべてのデータトーンと各パイロットトーンの相互相関値を表し、Ｒppは該当リソース割り当てブロック内の各パイロットトーンの自己相関値を表し、ＣＩＮＲestimatedは前記受信器のチャンネル品質情報として推定されたＣＩＮＲを表し、
【数６】
0006012974.tif 000013
はｍ番目のリソース割り当てブロックに含まれた４番目のパイロットトーンのＬＳ推定値を表し、
【数７】
0006012974.tif 000014
はｍ番目のリソース割り当てブロックに含まれた５番目のパイロットトーンのＬＳ推定値を表し、
【数８】
0006012974.tif 000015
はｍ＋１番目のリソース割り当てブロックに含まれた０番目のパイロットトーンのＬＳ推定値を表し、
【数９】
0006012974.tif 000016
はｍ＋１番目のリソース割り当てブロックに含まれた１番目のパイロットトーンのＬＳ推定値を表す。
【請求項６】
前記チャンネル推定を遂行するステップは、下記の式（２）によって前記チャンネル推定を遂行するステップを有することを特徴とする請求項５に記載のチャンネル推定方法。
【数１０】
0006012974.tif 000017
ここで、
【数１１】
0006012974.tif 000018
はｍ番目のリソース割り当てブロックのチャンネル推定値を、
【数１２】
0006012974.tif 000019
はｍ＋１番目のリソース割り当てブロックのチャンネル推定値を、ｌはサブキャリアインデックスを、ｋは時間インデックスを、それぞれ表す。
【請求項７】
前記チャンネル推定を遂行するステップは、
第１及び第２のパイロットトーンのうち前記アップデートされた推定値と、残りのパイロットトーンのうちアップデートされないチャンネル推定値、及び前記受信器の速度及びチャンネル品質情報を用いてチャンネル推定を遂行するステップを有することを特徴とする請求項１に記載のチャンネル推定方法。
【請求項８】
無線通信システムにおける受信器であって、
送信器から信号を受信する受信部と、
前記受信器の速度を推定する速度及びチャンネル品質情報推定部と、
隣接した第１及び第２のリソース割り当てブロックに含まれる各パイロットトーンに対するチャンネル推定値を計算し、前記第２のリソース割り当てブロックとのサブキャリア距離が所定値以下である第１のパイロットトーンに対するチャンネル推定値を検出し、前記第１のリソース割り当てブロックとのサブキャリア距離が所定値以下である第２のパイロットトーンに対するチャンネル推定値を検出し、チャンネル品質情報及び前記受信器の速度に基づいて、前記第１及び第２のパイロットトーンの各々に対するチャンネル推定値をアップデートし、前記アップデートされたチャンネル推定値を用いてチャンネル推定を遂行するチャンネル推定部と、を含む
ことを特徴とする受信器。
【請求項９】
前記第１及び第２のリソース割り当てブロックは、同一のサブバンドに含まれ、同一のプリコーディング方式が使用され、
前記第１及び第２のリソース割り当てブロックは、各々物理的リソースユニット（ＰＲＵ）を含むことを特徴とする請求項８に記載の受信器。
【請求項１０】
前記第１のパイロットトーンは前記第２のリソース割り当てブロックとのサブキャリア距離が最小であるパイロットトーンを含み、前記第２のパイロットトーンは前記第１のリソース割り当てブロックとのサブキャリア距離が最小であるパイロットトーンを含むことを特徴とする請求項８に記載の受信器。
【請求項１１】
前記チャンネル品質情報はキャリア対干渉雑音比（ＣＩＮＲ）情報を含む
ことを特徴とする請求項８に記載の受信器。
【請求項１２】
前記チャンネル推定部は、下記の式（３）によって前記第１及び第２のパイロットトーンに対するチャンネル推定値として最小二乗（ＬＳ）推定値をアップデートすることを特徴とする請求項８に記載の受信器。
【数１３】
0006012974.tif 000020
ここで、
【数１４】
0006012974.tif 000021
は第１のリソース割り当てブロックとしてｍ番目のリソース割り当てブロックに含まれた４番目のパイロットトーンのアップデートされたＬＳ推定値を表し、
【数１５】
0006012974.tif 000022
はｍ番目のリソース割り当てブロックに含まれた５番目のパイロットトーンのアップデートされたＬＳ推定値を表し、
【数１６】
0006012974.tif 000023
は第２のリソース割り当てブロックとしてｍ＋１番目のリソース割り当てブロックに含まれた０番目のパイロットトーンのアップデートされたＬＳ推定値を表し、
【数１７】
0006012974.tif 000024
はｍ＋１番目のリソース割り当てブロックに含まれた１番目のパイロットトーンのアップデートされたＬＳ推定値を表し、Ｒdpは前記受信器の速度を用いて計算された、該当リソース割り当てブロック内のすべてのデータトーンと各パイロットトーンの相互相関値を表し、Ｒppは該当リソース割り当てブロック内の各パイロットトーンの自己相関値を表し、ＣＩＮＲestimatedは前記受信器のチャンネル品質情報として推定されたＣＩＮＲを表し、
【数１８】
0006012974.tif 000025
はｍ番目のリソース割り当てブロックに含まれた４番目のパイロットトーンのＬＳ推定値を表し、
【数１９】
0006012974.tif 000026
はｍ番目のリソース割り当てブロックに含まれた５番目のパイロットトーンのＬＳ推定値を表し、
【数２０】
0006012974.tif 000027
はｍ＋１番目のリソース割り当てブロックに含まれた０番目のパイロットトーンのＬＳ推定値を表し、
【数２１】
0006012974.tif 000028
はｍ＋１番目のリソース割り当てブロックに含まれた１番目のパイロットトーンのＬＳ推定値を表す。
【請求項１３】
前記チャンネル推定部は、下記の式（４）によって前記チャンネル推定を遂行することを特徴とする請求項１２に記載の受信器。
【数２２】
0006012974.tif 000029
ここで、
【数２３】
0006012974.tif 000030
はｍ番目のリソース割り当てブロックのチャンネル推定値を、
【数２４】
0006012974.tif 000031
はｍ＋１番目のリソース割り当てブロックのチャンネル推定値を、ｌはサブキャリアインデックスを、ｋは時間インデックスを、それぞれ表す。
【請求項１４】
前記チャンネル推定部は、前記第１及び第２のパイロットトーンのうち前記アップデートされたチャンネル推定値、残りのパイロットトーンのうちアップデートされないチャンネル推定値、及び前記受信器の速度及びチャンネル品質情報を用いてチャンネル推定を遂行することを特徴とする請求項８に記載の受信器。
【発明の詳細な説明】
【技術分野】
【０００１】
本発明は、無線通信システムにおけるチャンネル推定方法及び装置に関するものである。
【背景技術】
【０００２】
一般的に、無線通信システムでは、正確な信号の復号化のために正確なチャンネル推定が要求される。このようなチャンネル推定のために使用される技術の中で最も良いものは、最小平均二乗誤差(Minimum  Mean  Square  Error：ＭＭＳＥ)チャンネル推定技術である。
【０００３】
このＭＭＳＥチャンネル推定技術によると、チャンネル推定は、まず最小二乗(ＬＳ）技法に基づいて遂行された後に、時間軸及び周波数軸に従って変化するチャンネルの相関行列を各チャンネル別に計算する。それによって、ＭＭＳＥチャンネル推定技術は、雑音を考慮した全体推定誤差を最小化するので、多重経路フェージング特性を有するチャンネル環境で優れた性能を示す。
【０００４】
一方、ＭＭＳＥチャンネル推定は、直交周波数分割多重接続(Orthogonal  Frequency  Division  Multiple  Access：ＯＦＤＭＡ)シンボルのパイロットトーンに基づく。そのため、チャンネル推定の性能は、パイロットトーンの数が少なければ相対的に低下する。したがって、このＭＭＳＥチャンネル推定技術が使用される場合、ＭＭＳＥチャンネル推定の性能を高めるために、できるだけ多くのパイロットトーンが使用されなければならないという問題があった。
【先行技術文献】
【非特許文献】
【０００５】
【非特許文献１】Two-Dimensional MMSE Channel Estimation for OFDM Systems with Transmitter Diversity
【発明の概要】
【発明が解決しようとする課題】
【０００６】
したがって、上記した従来技術の問題点を解決するために、本発明の目的は、無線通信システムにおけるチャンネル推定方法及び装置を提供することにある。
本発明の他の目的は、同一のプリコーディング(precoding)方式が適用される隣接したＰＲＵ(Physical Resource Unit)に含まれる最も隣接したパイロットトーンを用いてチャンネル推定性能を向上させる方法及び装置を提供することにある。
【課題を解決するための手段】
【０００７】
上記のような目的を達成するために、本発明の一態様によれば、無線通信システムにおける受信器によるチャンネル推定方法であって、隣接した第１及び第２のリソース割り当てブロックに含まれる各パイロットトーンに対するチャンネル推定値を計算するステップと、第２のリソース割り当てブロックとのサブキャリア距離が所定値以下である第１のパイロットトーンに対するチャンネル推定値を検出するステップと、第１のリソース割り当てブロックとのサブキャリア距離が所定値以下である第２のパイロットトーンに対するチャンネル推定値を検出するステップと、第１及び第２のパイロットトーンに対するチャンネル推定値をアップデートするステップと、アップデートされたチャンネル推定値を用いてチャンネル推定を遂行するステップとを有する。
【０００８】
本発明の他の態様によれば、無線通信システムにおける受信器であって、送信器から信号を受信する受信部と、隣接した第１及び第２のリソース割り当てブロックに含まれる各パイロットトーンに対するチャンネル推定値を計算し、第２のリソース割り当てブロックとのサブキャリア距離が所定値以下である第１のパイロットトーンに対するチャンネル推定値を検出し、第１のリソース割り当てブロックとのサブキャリア距離が所定値以下である第２のパイロットトーンに対するチャンネル推定値を検出し、第１及び第２のパイロットトーンに対するチャンネル推定値をアップデートし、アップデートされたチャンネル推定値を用いてチャンネル推定を遂行するチャンネル推定部とを含む。
【発明の効果】
【０００９】
本発明は、同一のプリコーディング方式が適用される隣接したＰＲＵに含まれる最も隣接したパイロットトーンを用いてチャンネル推定性能を向上させることができる。なお、本発明は、より簡単な方法でチャンネル推定性能を向上させることができる。
【００１０】
本発明による実施形態の上記及び他の態様、特徴、及び利点は、添付の図面と共に述べる以下の詳細な説明から、一層明らかになるはずである。
【図面の簡単な説明】
【００１１】
【図１】本発明の実施形態による同一のサブバンドを有する隣接したＰＲＵの例を示す図である。
【図２】本発明の実施形態による無線通信システムの構成例を示す図である。
【図３】本発明の実施形態による移動端末の一例を示す図である。
【図４】本発明の実施形態による移動端末の動作の一例を示すフローチャートである。
【発明を実施するための形態】
【００１２】
以下、本発明の望ましい実施形態を添付の図面を参照して詳細に説明する。
図面において、同一の構成要素に対してはできるだけ同一の参照符号及び参照番号を付して説明する。下記の説明で、本発明に関連した公知の機能又は構成に関する具体的な説明が本発明の要旨を不明にすると判断された場合に、その詳細な説明を省略する。
【００１３】
本発明の実施形態では、無線通信システムにおけるチャンネル推定を遂行する方法及び装置を提供する。具体的に、本発明の実施形態では、無線通信システムにおいて、同一のプリコーディング(precoding)方式が使用される相互に隣接した物理的リソースユニット(Physical  Resource  Unit：ＰＲＵ)に含まれた最も隣接したパイロットトーンを用いてチャンネル推定性能を向上させることができる方法及び装置を提供する。本発明の実施形態は、ＩＥＥＥ(Institute  of  Electrical  and  Electronics  Engineers)８０２.１６ｍプロトコルに従う無線通信システムの一例として説明するが、本発明による方法及び装置は、ＩＥＥＥ８０２．１６ｍ通信システムだけでなく、他の通信システムにも適用できることは明らかである。
【００１４】
無線通信システムでは、ＰＲＵが周波数領域で連続した論理的リソースユニット(Contiguous  Logical  Resource  Unit：ＣＬＲＵ)にマッピングされる。このＣＬＲＵは、一つ以上の周波数パーティション(partition)で区分されてセル(又はセクタ）の特定リソースとして割り当てられる。
【００１５】
全体ＰＲＵの中で、連続する４個のＰＲＵはサブバンドを形成し、ＣＬＲＵはサブバンド単位で構成される。すなわち、ＣＬＲＵは、区分されるサブバンドパーティションニング(partitioning）が遂行された後、周波数領域で物理的に連続する無線リソースの基本サイズは１サブバンドとなる。
【００１６】
図１は、本発明の実施形態による同一のサブバンドに含まれる相互に隣接したＰＲＵの構成例を示す。
図１を参照すると、相互に隣接した２個のＰＲＵ、すなわち、ｍ番目のＰＲＵ１００及びｍ＋１番目のＰＲＵ１２０は、同一のサブバンドに含まれ、同一のプリコーディング方式を使用する。
【００１７】
ｍ番目のＰＲＵ１００及びｍ＋１番目のＰＲＵ１２０は、各々周波数領域で連続するｆ個の副搬送波と時間領域で連続するｔ個のＯＦＤＭＡシンボルを含む。さらに、ｍ番目のＰＲＵ１００及びｍ＋１番目のＰＲＵ１２０は、各々ｐ個のパイロットトーンとｄ個のデータトーンを含む。図１では、ｆは１８、ｔは６、ｐは６、ｄは１０２である場合を一例として示す。
【００１８】
本発明の実施形態によると、チャンネル推定は、ｍ＋１番目のＰＲＵ１２０とのサブキャリア上の距離が所定値以下であるパイロットトーンと、ｍ番目のＰＲＵ１００とのサブキャリア上の距離が所定値以下であるパイロットトーンを用いて遂行される。例えば、チャンネル推定のために使用されるパイロットトーンは、ｍ番目のＰＲＵ１００のパイロットトーン１０１〜１０６の中で、ｍ＋１番目のＰＲＵ１２０とのサブキャリア上の距離が最小であるパイロットトーン１０５、１０６と、ｍ＋１番目のＰＲＵ１２０のパイロットトーン１０７〜１１２の中でｍ番目のＰＲＵ１００とのサブキャリア上の距離が最小であるパイロットトーン１０７、１０８を含む。具体的に、ｍ番目のＰＲＵ１００のパイロットトーン１０１〜１０６とｍ＋１番目のＰＲＵ１２０のパイロットトーン１０７〜１１２の中で、ｍ番目のＰＲＵ１００とｍ＋１番目のＰＲＵ１２０が区分される周波数パーディション１１５上の位置と最も隣接したパイロットトーン１０５〜１０８(以下、‘最も隣接したパイロットトーン'と称する)は、チャンネル推定のために使用される。
【００１９】
最も隣接したパイロットトーン１０５〜１０８は、２サブキャリア間隔で位置してチャンネル推定のために使用される場合、チャンネル推定による利得が向上することができる。しかしながら、最も隣接したパイロットトーン１０５〜１０８を除いた残りのパイロットトーンは、１０サブキャリア以上の間隔で位置して時間オフセット補償(time  offset  compensator)及び白化プロセス(whitening  process)などの追加動作が遂行されてもチャンネル推定による利得を獲得しにくい。したがって、本発明の実施形態では、最も隣接したパイロットトーン１０５〜１０８を用いてチャンネル推定を遂行する方法及び装置を提示する。
【００２０】
以下、図２を参照して、本発明の実施形態による無線通信システムの構成について説明する。
図２は、本発明の実施形態による無線通信システムの構成例を示す。
図２を参照すると、無線通信システムは、基地局２００と移動端末２２０を含む。
基地局２００は、パイロットトーンとデータトーンが含まれる信号を移動端末２２０に送信する。ここで、パイロットトーンは、所定時間に該当サブチャンネルを介して送信され、所定の値に設定される。
【００２１】
移動端末２２０は、基地局２００のセルカバレッジ内に含まれて基地局２００から信号を受信する。移動端末２２０は、基地局から信号が受信されると、受信された信号を高速フーリエ変換(Fast  Fourier  Transform：ＦＦＴ)して周波数領域の信号に変換する。そして、移動端末は、周波数領域の信号から論理的信号を生成し、バースト(burst)が同一のプリコーディングを使用する連続したＰＲＵに割り当てられたか否かを判定する。そして、移動端末は、バーストが同一のプリコーディングを使用する連続したＰＲＵに割り当てられる場合、相互に連続したＰＲＵの最も隣接したパイロットトーンを用いてチャンネルを推定する。移動端末２２０のチャンネル推定方法に対しては、以後具体的に説明する。
【００２２】
図３は、本発明の実施形態による移動端末の一例を示す。
図３を参照すると、移動端末は、制御部３００、送信部３０２、受信部３０４、速度及びチャンネル品質推定部３０６、チャンネル推定部３０８、及びメモリ３１０を含む。
【００２３】
制御部３００は、送信部３０２、受信部３０４、速度及びチャンネル品質推定部３０６、チャンネル推定部３０８、及びメモリ３１０を制御し、移動端末の全般的な動作を制御する。
【００２４】
送信部３０２及び受信部３０４は、基地局と無線通信を遂行するための構成部である。送信部３０２は、基地局へ無線信号を送信する。そして、受信部３０４は、基地局から信号を受信し、受信された無線信号をＦＦＴして周波数領域の信号に変換した後に論理信号に生成する。
【００２５】
速度及びチャンネル品質推定部３０６は、移動端末の速度及び受信チャンネルに対する品質を推定する。速度及びチャンネル品質推定部３０６は、例えば、キャリア対干渉雑音比(Carrier-to-Interference-and-Noise  Ratio：ＣＩＮＲ)などを計算することによって、チャンネル品質情報を生成する。以下、チャンネル品質情報がＣＩＮＲ情報である場合を一例として説明する。上記のように、推定された速度及びチャンネル品質情報は、制御部３００の制御によってメモリ３１０に格納された後、チャンネル推定部３０８に提供される。
【００２６】
一方、速度及びチャンネル品質推定部３０６は、本発明の他の実施形態によって移動端末の速度を推定する速度推定部及び受信チャンネルに対するチャンネル品質を推定するチャンネル品質推定部のような相互に異なるそれぞれの物理的な構成部で構成されることはもちろんである。
【００２７】
チャンネル推定部３０８は、基地局から信号が受信され、推定速度及びチャンネル品質情報が入力されると、チャンネル推定を遂行するために、次のような動作を遂行する。チャンネル推定部３０８は、パイロット最小二乗(Least  Square：ＬＳ）推定部３１２、ＬＳアップデート部３１４、及び最終チャンネル推定部３１６を含む。
【００２８】
【数１】
0006012974.tif 000002
【００２９】
【数２】
0006012974.tif 000003
【００３０】
パイロットＬＳ推定部３１２は、計算された
【数３】
0006012974.tif 000004
をＬＳアップデート部３１４に出力する。そして、速度及びチャンネル品質推定部３０６により推定された移動端末の速度及びチャンネル品質情報は、ＬＳアップデート部３１４に出力される。その後、ＬＳアップデート部３１４は、追加的なチャンネル推定性能を向上させるために、次のような動作を遂行する。
【００３１】
ＬＳアップデート部３１４は、パイロットトーン及びデータトーンが同一のプリコーディング方式が使用される連続したＰＲＵに割り当てられた場合、相互に隣接したＰＲＵの最も隣接したパイロットトーンに対するＬＳ推定値を検出してアップデートする。理解を助けるために、上記した図１を参照して説明する。
【００３２】
ＬＳアップデート部３１４は、最も隣接したパイロットトーンとして図１のｍ番目のＰＲＵ１００のパイロットトーン１０６、１０８とｍ＋１番目のＰＲＵ１２０のパイロットトーン１０７、１０８に対するＬＳ推定値を次の式(２)によりアップデートする。
【数４】
0006012974.tif 000005
【００３３】
【数５】
0006012974.tif 000006
【００３４】
一方、ＲdpとＲppは、時間相関と周波数相関との乗算により計算される。推定速度は時間相関に使用され、チャンネル遅延分散(channel delay spread)は周波数相関に使用される。
【００３５】
最終チャンネル推定部３１６は、ＬＳアップデート部３１４から数式２により計算されたアップデートされたＬＳ推定値を受信する。また、最終チャンネル推定部３１６は、速度及びチャンネル品質推定部３０６から推定された移動端末の速度及びチャンネル品質情報を受信する。その後、最終チャンネル推定部３１６は、アップデートされたＬＳ推定値、残りのパイロットトーンに対してアップデートされないＬＳ推定値、及び推定速度と推定チャンネル品質情報を用いてｍ番目のＰＲＵ及びｍ＋１番目のＰＲＵの各パイロットトーンに対するチャンネルを推定する。このとき、最終チャンネル推定部３１６は、下記の式(３)によってチャンネルを推定する。
【数６】
0006012974.tif 000007
【００３６】
メモリ３１０は、移動端末の動作に関連した情報を格納する。特に、メモリ３１０は、速度及びチャンネル品質推定部３０６から受信された推定速度及びチャンネル品質情報を格納する。メモリ３１０は、チャンネル推定部３０８から出力される推定されたチャンネル情報を格納する。また、メモリ３１０は、パイロットＬＳ推定部３１２から受信されるパイロットトーンに対するＬＳ推定値及びＬＳアップデート部３１４から受信されるアップデートされたＬＳ推定値を格納する。
【００３７】
図４は、本発明の実施形態による移動端末の動作を示すフローチャートである。
図４を参照すると、移動端末は、ステップ４００で基地局から信号が受信される場合、受信された信号をＦＦＴを用いて周波数信号に変換し、この周波数信号から論理信号を生成する。ステップ４０２で、移動端末は、バーストが同一のプリコーディングを適用する連続したＰＲＵに割り当てられたか否かを判定する。
【００３８】
ステップ４０４で、バーストが同一のプリコーディングを適用する連続したＰＲＵに割り当てられた場合、移動端末は、ステップ４０６で、各パイロットトーンに対するＬＳ推定値を計算する。その後、移動端末は、ステップ４０８で、連続するＰＲＵの最も隣接したパイロットトーンに対するＬＳ推定値を推定された速度及び推定チャンネル品質情報を用いてアップデートする。
【００３９】
具体的に説明すると、移動端末は、連続したＰＲＵがｍ番目のＰＲＵ及びｍ＋１番目のＰＲＵを含む場合、次のような動作を遂行する。移動端末は、ｍ番目のＰＲＵのパイロットトーンの中でｍ＋１番目のＰＲＵから最小ブキャリア距離を有するパイロットトーンのＬＳ推定値を検出する。以後、移動端末は、推定速度及び推定チャンネル品質情報を用いて検出されたＬＳ推定値をアップデートする。なお、移動端末は、ｍ＋１番目のＰＲＵのパイロットトーンの中でｍ番目のＰＲＵとの最小サブキャリア距離を有するパイロットトーンのＬＳ推定値を検出する。その後、移動端末は、推定された速度及びチャンネル品質情報を用いて検出されたＬＳ推定値をアップデートする。
【００４０】
次に、移動端末は、ステップ４１０で、アップデートされたＬＳ推定値、アップデートされない残りのパイロットトーンに対するＬＳ推定値、及び推定された速度及びチャンネル品質情報を用いてチャンネル推定を遂行する。
【００４１】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００４２】
３００・・・制御部
３０２・・・送信部
３０４・・・受信部
３０６・・・速度及びチャンネル品質推定部
３０８・・・チャンネル推定部
３１０・・・メモリ
【図１】
0006012974.tif 000032
【図２】
0006012974.tif 000033
【図３】
0006012974.tif 000034
【図４】
0006012974.tif 000035